(57)【要約】      （修正有）【課題】椎板が速すぎて過度に広げられることを回避し、椎板が一度に拡張不足となる等の問題も回避し、椎板の持ち上げ範囲の制御を実現し、手術時間の短縮を実現し、手術操作の精度及び安全性を向上させ、手術の治療効果を確保することができる開扉の大きさを調節する制御可能な頚椎後部の成形用鋼板を提供する。【解決手段】開扉の大きさを調節する制御可能な頚椎後部の成形用鋼板は、ガイドレール１、ラック３、ギア４を備え、ガイドレール１の上面にガイド溝２が設けられ、ガイド溝２内にラック３がスライド可能に接続され、ラック３の上面の歯は、ギア４の底端の歯と噛み合う。ラック３及びギア４を設けることにより、椎板を持ち上げる前に、椎板側及び側塊に固定ねじを配置し、ロックして固定し、ラック３及びギア４で椎板を徐々に広げることで、椎板を持ち上げる際の安全性及び操作の精度を向上させ、同時に、椎板を徐々に広げる過程で、ラック３とギア４を随時に微調整して係止する。【選択図】図１
0003229784.tif 000002
【実用新案登録請求の範囲】
【請求項１】
ガイドレール（１）を備える開扉の大きさを調節する制御可能な頚椎後部の成形用鋼板であって、
前記ガイドレール（１）の上面にガイド溝（２）が設けられ、前記ガイド溝（２）内にラック（３）がスライド可能に接続され、前記ラック（３）の上面の歯は、ギア（４）の底端の歯と噛み合い、前記ギア（４）の正面に回転軸（５）が係着され、前記回転軸（５）の正面の一端と背面の一端にいずれも軸受け（６）が嵌着され、且つ２つの軸受け（６）の離れる面は、それぞれフレーム（７）の内壁の正面と背面に係着され、前記フレーム（７）の内壁の正面と背面の下部は、それぞれガイドレール（１）の正面と背面に固定して接続され、
前記ギア（４）の左右の両側にいずれも係止ブロック（８）が係着され、前記係止ブロック（８）の右側面に接続ロッド（９）が固定して接続され、前記接続ロッド（９）の背面は、ピン軸（１０）を介してフレーム（７）の内壁の正面に可動に接続され、前記接続ロッド（９）の左側面の上方にばね（１１）が固定して接続され、前記ばね（１１）の左端に固定板（１２）が固定して接続され、前記固定板（１２）の正面と背面は、それぞれフレーム（７）の内壁の正面と背面の上方に固定して接続される、ことを特徴とする開扉の大きさを調節する制御可能な頚椎後部の成形用鋼板。
【請求項２】
前記ガイド溝（２）の形状は半円形であり、且つラック（３）の下面は、ガイド溝（２）にマッチングしている、ことを特徴とする請求項１に記載の開扉の大きさを調節する制御可能な頚椎後部の成形用鋼板。
【請求項３】
前記係止ブロック（８）の形状は台形であり、且つ係止ブロック（８）の形状はギア（４）の上歯にマッチングしている、ことを特徴とする請求項１に記載の開扉の大きさを調節する制御可能な頚椎後部の成形用鋼板。
【請求項４】
前記固定板（１２）はギア（４）の歯に接触しない、ことを特徴とする請求項１に記載の開扉の大きさを調節する制御可能な頚椎後部の成形用鋼板。
【請求項５】
前記ガイドレール（１）の左側面に第１固定点（１３）が設けられ、前記ラック（３）の右側面に第２固定点（１４）が設けられる、ことを特徴とする請求項１に記載の開扉の大きさを調節する制御可能な頚椎後部の成形用鋼板。
【考案の詳細な説明】
【技術分野】
【０００１】
本考案は、医療器具の技術分野に関し、具体的には開扉の大きさを調節する制御可能な頚椎後部の成形用鋼板に関する。
【背景技術】
【０００２】
頚椎症の患者はほとんど、変性、狭窄、骨過形成、不安定等の頚椎病変を持っており、それらは一般的な臨床病理学的現象であり、患者の日常生活、仕事、生活の質に深刻な影響を与えている可能性がある。外科手術は、現在有効な治療法の一つであり、頚椎の正常な配列及び頚椎の曲率、高さ及び可動性を回復し、頚椎の安定性を維持し、且つ脊柱管内の神経の圧迫状態を改善し、その正常な機能を改善して回復することを目的とする。従来の頚椎後部の成形用鋼板は、手術過程で以下の問題がある。１．鋼板を配置する前に開扉する必要があり、従来の手術器具で開扉するときに、扉のボルト側が折れ易くなる。２．椎板を持ち上げた後、ねじを配置し、ねじを配置する過程で、特に椎板側に圧力を加える際にも椎板の不安定性をもたらしやすく、さらに開扉のボルト側が折れることにより手術中の脊髄への刺激又は手術後の新たな圧迫の形成を引き起こしやすい。３．従来の成形用鋼板は、開扉側の幅を把握しにくく、開扉が大きすぎると、頚部の神経牽引症候群をもたらす可能性があり、開扉が不十分であると、減圧が不十分になり、臨床効果に影響を与える。
【考案の概要】
【考案が解決しようとする課題】
【０００３】
従来技術の欠点に対し、本考案は、器具自体の設計の欠陥等に起因する手術の治療効果が低下するという問題を解決する開扉の大きさを調節する制御可能な頚椎後部の成形用鋼板を提供する。
【課題を解決するための手段】
【０００４】
上記目的を達成するために、本考案は以下の技術案を用いる。ガイドレールを備える開扉の大きさを調節する制御可能な頚椎後部の成形用鋼板であって、前記ガイドレールの上面にガイド溝が設けられ、前記ガイド溝内にラックがスライド可能に接続され、前記ラックの上面の歯は、ギアの底端の歯と噛み合い、前記ギアの正面に回転軸が係着され、前記回転軸の正面の一端と背面の一端にいずれも軸受けが嵌着され、且つ２つの軸受けの離れる面は、それぞれフレームの内壁の正面と背面に係着され、前記フレームの内壁の正面と背面の下部は、それぞれガイドレールの正面と背面に固定して接続される。
【０００５】
前記ギアの左右の両側にいずれも係止ブロックが係着され、前記係止ブロックの右側面に接続ロッドが固定して接続され、前記接続ロッドの背面はピン軸を介してフレームの内壁の正面に可動に接続され、前記接続ロッドの左側面の上方にばねが固定して接続され、前記ばねの左端に固定板が固定して接続され、前記固定板の正面と背面は、それぞれフレームの内壁の正面と背面の上方に固定して接続される。
【０００６】
好ましくは、前記ガイド溝の形状は半円形であり、且つラックの下面は、ガイド溝にマッチングしている。
【０００７】
好ましくは、前記係止ブロックの形状は台形であり、且つ係止ブロックの形状は、ギアの上歯にマッチングしている。
【０００８】
好ましくは、前記固定板はギアの歯に接触しない。
【０００９】
好ましくは、前記ガイドレールの左側面に第１固定点が設けられ、前記ラックの右側面に第２固定点が設けられる。
【考案の効果】
【００１０】
本考案の有益な効果は以下のとおりである。
【００１１】
１．該開扉の大きさを調節する制御可能な頚椎後部の成形用鋼板は、ラックとギアを設けることにより、椎板を持ち上げる前に、椎板側及び側塊に固定ねじを配置し、ロックして固定し、ラック及びギアで椎板を徐々に広げることで、椎板を持ち上げる際の安全性及び操作の精度を向上させ、同時に、椎板を徐々に広げる過程で、ラックとギアを随時に微調整して係止することができ、それにより、椎板が速すぎて過度に広げられることを回避し、椎板が一度に拡張不足となる等の問題も回避し、椎板の持ち上げ範囲の制御を実現し、手術時間の短縮を実現し、手術操作の精度及び安全性を向上させ、手術の治療効果を確保する。
【００１２】
２．該開扉の大きさを調節する制御可能な頚椎後部の成形用鋼板は、係止ブロック、接続ロッド、ピン軸、ばね及び固定板を設けることにより、２つの接続ロッドを押して相互に接近する方向に移動させると、２つの接続ロッドは、ピン軸の作用で、２つの係止ブロックを駆動してギアから離脱させ、ギアはラックに伴って移動することができ、２つの接続ロッドを押さなくなると、２つのばねの弾性力の駆動により２つの接続ロッドは元の位置に戻り、それにより、２つの係止ブロックは、ギアに再び係止され、ギアを係止することができる。
【００１３】
３．該開扉の大きさを調節する制御可能な頚椎後部の成形用鋼板は、ガイド溝とラックの形状を設定することにより、両者の間の安定したスムーズなスライドを確保し、係止ブロックの形状を設定することにより、係止ブロックがギアの歯内に安定して係着することを確保することができ、それにより、両者は相互に係止することができ、第１固定点及び第２固定点を設けることにより、第１固定点と第２固定点を使用してガイドレールとラックを椎板に迅速に固定することができ、利便性をもたらす。
【図面の簡単な説明】
【００１４】
【図１】本考案の正面の断面構造の概略図である。
【図２】本考案のＡ部の拡大した構造概略図である。
【図３】本考案の左側の断面の構造概略図である。
【考案を実施するための形態】
【００１５】
以下、本考案の実施例における図面を参照し、本考案の実施例における技術的解決手段を明確且つ完全に説明する。明らかに、説明された実施例は、本考案の一部の実施例にすぎず、全ての実施例ではない。本考案における実施例に基づき、当業者が創造的な労働をしない前提で得られた全ての他の実施例は、本考案の保護範囲に属する。
【００１６】
図１〜３に示すように、本考案は以下の技術案を提供する。ガイドレール１を備える開扉の大きさを調節する制御可能な頚椎後部の成形用鋼板であって、ガイドレール１の上面にガイド溝２が設けられ、ガイド溝２の形状は、半円形であり、且つラック３の下面はガイド溝２にマッチングしており、ガイド溝２及びラック３の形状を設定することにより、両者の間の安定したスムーズなスライドを確保し、ガイド溝２内にラック３がスライド可能に接続され、ガイドレール１の左側面に第１固定点１３が設けられ、ラック３の右側面に第２固定点１４が設けられ、第１固定点１３及び第２固定点１４を設けることにより、第１固定点１３及び第２固定点１４を使用してガイドレール１及びラック３を椎板に迅速に固定することができ、利便性をもたらし、ラック３の上面の歯は、ギア４の底端の歯と噛み合い、ラック３及びギア４を設けることにより、椎板を持ち上げる前に、椎板側及び側塊に固定ねじを配置し、ロックして固定し、ラック３及びギア４で椎板を徐々に広げ、椎板を持ち上げる際の安全性及び操作の精度を向上させ、同時に、椎板を徐々に広げる過程で、ラック３とギア４を随時に微調整して係止することができ、それにより、椎板が速すぎて過度に広げられることを回避し、椎板が一度に拡張不足となる等の問題も回避し、椎板の持ち上げ範囲の制御を実現し、手術時間の短縮を実現し、手術操作の精度及び安全性を向上させ、手術の治療効果を確保し、ギア４の正面に回転軸５が係着され、回転軸５の正面の一端と背面の一端にいずれも軸受け６が嵌着され、且つ２つの軸受け６が離れる面は、それぞれフレーム７の内壁の正面と背面に係着され、フレーム７の内壁の正面と背面の下部は、それぞれガイドレール１の正面と背面に固定して接続される。
【００１７】
ギア４の左右の両側にいずれも係止ブロック８が係着され、係止ブロック８の形状は台形であり、且つ係止ブロック８の形状は、ギア４の上歯にマッチングしており、係止ブロック８の形状を設定することにより、係止ブロック８がギア４の歯内に安定して係着することを確保することができ、それにより、両者は相互に係止することができ、係止ブロック８の右側面に接続ロッド９が固定して接続され、接続ロッド９の背面がピン軸１０を介してフレーム７の内壁の正面に可動に接続され、接続ロッド９の左側面の上方にばね１１が固定して接続され、ばね１１の左端に固定板１２が固定して接続され、固定板１２の正面と背面は、それぞれフレーム７の内壁の正面と背面の上方に固定して接続され、係止ブロック８、接続ロッド９、ピン軸１０、ばね１１及び固定板１２を設けることにより、２つの接続ロッド９を押して相互に接近する方向に移動させると、２つの接続ロッド９は、ピン軸１０の作用で、２つの係止ブロック８を駆動してギア４から離脱させ、ギア４はラック３に伴って移動することができ、２つの接続ロッド９を押さなくなると、２つのばね１１の弾性力の駆動により２つの接続ロッド９は元の位置に復帰し、それにより、２つの係止ブロック８はギア４に再び係止され、ギア４を係止することができ、固定板１２はギア４の歯に接触しておらず、固定板１２とギア４との位置関係を設定することにより、固定板１２がギア４の回転を阻害するのを回避することができ、それにより、ギア４の正常な回転を確保する。
【００１８】
本考案の操作ステップは以下のとおりである。
【００１９】
使用する時、２つの接続ロッド９を押して相互に接近する方向に移動させると、２つの接続ロッド９は、ピン軸１０の作用で、２つの係止ブロック８を駆動してギア４から離脱させ、ギア４はラック３に伴って移動することができ、２つの接続ロッド９を押さなくなると、２つのばね１１の弾性力の駆動により２つの接続ロッド９は元の位置に復帰し、それにより、２つの係止ブロック８はギア４に再び係止され、ギア４を係止する。
【００２０】
上記の特定の実施形態は、本考案の目的、技術的解決手段及び有益な効果をさらに詳細に説明するものであるが、上記の内容は、本考案の特定の実施形態に過ぎず、本考案を限定するものではなく、本考案の精神及び原則内で行われるいかなる変更、等価置換、改良等も、いずれも本考案の保護範囲の内に属すべきであることを理解すべきである。
【符号の説明】
【００２１】
１  ガイドレール、２  ガイド溝、３  ラック、４  ギア、５  回転軸、６  軸受け、７  フレーム、８  係止ブロック、９  接続ロッド、１０  ピン軸、１１  ばね、１２  固定板、１３  第１固定点、１４  第２固定点。
【図１】
0003229784.tif 000003
【図２】
0003229784.tif 000004
【図３】
0003229784.tif 000005